(57)【特許請求の範囲】
【請求項１】
複数の携帯端末と、
集計サーバと、を有し、
前記集計サーバは、
前記複数の携帯端末の各々にて利用されたアプリケーションのアイコン情報を記録する記憶部と、
前記複数の携帯端末の各々にて利用されたアプリケーションのうち特定のアプリケーションの識別情報を前記複数の携帯端末の各々に対して送信すると共に、前記複数の携帯端末の各々から前記特定のアプリケーションのアイコン情報の送信要求を受信した場合、前記記憶部に記録された前記特定のアプリケーションのアイコン情報を前記送信要求の送信元の携帯端末に対して送信する第１の通信部と、を有し、
前記複数の携帯端末の各々は、
自己の携帯端末に前記特定のアプリケーションがインストールされていない場合、前記特定のアプリケーションのアイコン情報の送信要求を前記集計サーバに対して送信して、前記送信要求の応答として前記集計サーバから前記特定のアプリケーションのアイコン情報を受信する第２の通信部と、
自己の携帯端末に前記特定のアプリケーションがインストールされていない場合、前記集計サーバから受信した前記特定のアプリケーションのアイコン情報を基に、前記特定のアプリケーションのアイコンを表示する第１の表示部と、を有する、表示システム。
【請求項２】
アプリケーションを登録する複数の登録サーバをさらに有し、
前記集計サーバは、
前記複数の携帯端末の各々にて利用されたアプリケーションを、該アプリケーションが登録されている前記登録サーバからダウンロードするダウンロード部と、
前記ダウンロード部にてダウンロードされたアプリケーションをインストールし、該インストールしたアプリケーションからアイコン情報を抽出して前記記憶部に記録するインストール部と、を含む、請求項１に記載の表示システム。
【請求項３】
前記第１の通信部は、
前記特定のアプリケーションのアイコン情報の送信要求の送信元の携帯端末に対し、前記特定のアプリケーションが登録されている前記登録サーバのアドレスも送信し、
前記複数の携帯端末の各々は、
前記第１の表示部が自己の携帯端末にインストールされていない前記特定のアプリケーションのアイコンを表示する際に、前記特定のアプリケーションが登録されている前記登録サーバのアドレスを表示する第２の表示部をさらに有する、請求項２に記載の表示システム。
【請求項４】
前記第１の通信部は、
前記特定のアプリケーションのアイコン情報の送信要求の送信元の携帯端末に対し、前記特定のアプリケーションの料金情報も送信し、
前記複数の携帯端末の各々は、
前記第１の表示部が自己の携帯端末にインストールされていない前記特定のアプリケーションのアイコンを表示する際に、前記特定のアプリケーションの料金情報を表示する第２の表示部をさらに有する、請求項２に記載の表示システム。
【請求項５】
複数の携帯端末の各々にて利用されたアプリケーションのアイコン情報を記録する記憶部と、
前記複数の携帯端末の各々にて利用されたアプリケーションのうち特定のアプリケーションの識別情報を前記複数の携帯端末の各々に対して送信すると共に、前記複数の携帯端末の各々から前記特定のアプリケーションのアイコン情報の送信要求を受信した場合、前記記憶部に記録された前記特定のアプリケーションのアイコン情報を前記送信要求の送信元の携帯端末に対して送信する通信部と、を有する集計サーバ。
【請求項６】
前記複数の携帯端末の各々にて利用されたアプリケーションを、該アプリケーションが登録されている登録サーバからダウンロードするダウンロード部と、
前記ダウンロード部にてダウンロードされたアプリケーションをインストールし、該インストールしたアプリケーションからアイコン情報を抽出して前記記憶部に記録するインストール部と、をさらに有する、請求項５に記載の集計サーバ。
【請求項７】
前記通信部は、
前記特定のアプリケーションのアイコン情報の送信要求の送信元の携帯端末に対し、前記特定のアプリケーションが登録されている前記登録サーバのアドレスも送信する、請求項６に記載の集計サーバ。
【請求項８】
前記通信部は、
前記特定のアプリケーションのアイコン情報の送信要求の送信元の携帯端末に対し、前記特定のアプリケーションの料金情報も送信する、請求項６に記載の集計サーバ。
【請求項９】
集計サーバから特定のアプリケーションの識別情報を受信すると共に、自己の携帯端末に前記特定のアプリケーションがインストールされていない場合、前記特定のアプリケーションのアイコン情報の送信要求を前記集計サーバに対して送信して、前記送信要求の応答として前記集計サーバから前記特定のアプリケーションのアイコン情報を受信する通信部と、
自己の携帯端末に前記特定のアプリケーションがインストールされていない場合、前記集計サーバから受信した前記特定のアプリケーションのアイコン情報を基に、前記特定のアプリケーションのアイコンを表示する第１の表示部と、を有する携帯端末。
【請求項１０】
前記通信部は、
前記送信要求の応答として前記集計サーバから前記特定のアプリケーションが登録されている登録サーバのアドレスも受信し、
前記携帯端末は、
前記第１の表示部が自己の携帯端末にインストールされていない前記特定のアプリケーションのアイコンを表示する際に、前記特定のアプリケーションが登録されている前記登録サーバのアドレスを表示する第２の表示部をさらに有する、請求項９に記載の携帯端末。
【請求項１１】
前記通信部は、
前記送信要求の応答として前記集計サーバから前記特定のアプリケーションの料金情報も受信し、
前記携帯端末は、
前記第１の表示部が自己の携帯端末にインストールされていない前記特定のアプリケーションのアイコンを表示する際に、前記特定のアプリケーションの料金情報を表示する第２の表示部をさらに有する、請求項９に記載の携帯端末。
【請求項１２】
複数の携帯端末と、集計サーバと、を有してなる表示システムが行う表示方法であって、
前記集計サーバが、前記複数の携帯端末の各々にて利用されたアプリケーションのアイコン情報を記憶部に記録し、
前記集計サーバが、前記複数の携帯端末の各々にて利用されたアプリケーションのうち特定のアプリケーションの識別情報を前記複数の携帯端末の各々に対して送信し、
前記携帯端末が、自己の携帯端末に前記特定のアプリケーションがインストールされていない場合、前記特定のアプリケーションのアイコン情報の送信要求を前記集計サーバに対して送信し、
前記集計サーバが、前記携帯端末から前記送信要求を受信した場合、前記記憶部に記録された前記特定のアプリケーションのアイコン情報を前記送信要求の送信元の携帯端末に対して送信し、
前記携帯端末が、自己の携帯端末に前記特定のアプリケーションがインストールされていない場合、前記集計サーバから受信した前記特定のアプリケーションのアイコン情報を基に、前記特定のアプリケーションのアイコンを表示する、表示方法。
【請求項１３】
集計サーバが行う表示方法であって、
複数の携帯端末の各々にて利用されたアプリケーションのアイコン情報を記憶部に記録し、
前記複数の携帯端末の各々にて利用されたアプリケーションのうち特定のアプリケーションの識別情報を前記複数の携帯端末の各々に対して送信し、
前記複数の携帯端末の各々から前記特定のアプリケーションのアイコン情報の送信要求を受信した場合、前記記憶部に記録された前記特定のアプリケーションのアイコン情報を前記送信要求の送信元の携帯端末に対して送信する、表示方法。
【請求項１４】
携帯端末が行う表示方法であって、
集計サーバから特定のアプリケーションの識別情報を受信し、
自己の携帯端末に前記特定のアプリケーションがインストールされていない場合、前記特定のアプリケーションのアイコン情報の送信要求を前記集計サーバに対して送信し、
前記送信要求の応答として前記集計サーバから前記特定のアプリケーションのアイコン情報を受信し、
自己の携帯端末に前記特定のアプリケーションがインストールされていない場合、前記集計サーバから受信した前記特定のアプリケーションのアイコン情報を基に、前記特定のアプリケーションのアイコンを表示する、表示方法。
【発明の詳細な説明】
【技術分野】
【０００１】
本発明は、携帯端末でアプリケーションのアイコンを表示するための技術に関する。
【背景技術】
【０００２】
最近の携帯端末では、インターネットブラウザや音楽プレーヤー等の複数のアプリケーション（以下、適宜「アプリ」と称す）が利用可能である。
【０００３】
特許文献１には、携帯端末が、その携帯端末で利用するアプリのデータを時間帯別に保存しておき、アプリを利用する際には、アプリを利用する時間帯の利用頻度の高い順番に、アプリのアイコンを表示する技術が記載されている。
【０００４】
また、特許文献１には、サーバが、携帯端末で利用する画面デザインのテンプレートのデータを保存し、その携帯端末を使用する利用者が、その携帯端末もしくは他の携帯端末を用いて、利用頻度の高いテンプレートをサーバからダウンロードする技術も記載されている。
【先行技術文献】
【特許文献】
【０００５】
【特許文献１】特開２００８−１１８３４６号公報
【発明の概要】
【発明が解決しようとする課題】
【０００６】
上述のように、特許文献１に記載の技術は、同一人物が利用するアプリやテンプレートを推奨することが可能であるが、今後は、サーバが、他の利用者が利用するアプリを推奨することも考えられる。
【０００７】
しかし、サーバが、他の利用者が利用するアプリを推奨する構成では、そのアプリが携帯端末にインストールされていない場合もあり得る。
【０００８】
この場合、携帯端末は、インストールされていないアプリのアイコン（製品版のアイコン。以下、単に「アイコン」というときは、製品版のアイコンを指すものとする）の情報を保持していないため、そのアプリのアイコンを表示することはできない。
【０００９】
そのため、携帯端末は、インストールされていないアプリについては、インストールアイコン（例えば、ＰＣ（Personal Computer）の場合は、図８に示すような“setup.exe”のアイコン）等を表示せざるを得ない。
【００１０】
そうすると、携帯端末の利用者は、サーバから推奨されたアプリがどのようなアプリであるかを視覚的に想像することができない。
【００１１】
そこで、本発明の目的は、上述した課題を解決し、携帯端末にインストールされていないアプリが推奨された場合でも、そのアプリのアイコンを表示することができる表示システム、集計サーバ、携帯端末、表示方法を提供することにある。
【課題を解決するための手段】
【００１２】
本発明の表示システムは、
複数の携帯端末と、
集計サーバと、を有し、
前記集計サーバは、
前記複数の携帯端末の各々にて利用されたアプリケーションのアイコン情報を記録する記憶部と、
前記複数の携帯端末の各々にて利用されたアプリケーションのうち特定のアプリケーションの識別情報を前記複数の携帯端末の各々に対して送信すると共に、前記複数の携帯端末の各々から前記特定のアプリケーションのアイコン情報の送信要求を受信した場合、前記記憶部に記録された前記特定のアプリケーションのアイコン情報を前記送信要求の送信元の携帯端末に対して送信する第１の通信部と、を有し、
前記複数の携帯端末の各々は、
自己の携帯端末に前記特定のアプリケーションがインストールされていない場合、前記特定のアプリケーションのアイコン情報の送信要求を前記集計サーバに対して送信して、前記送信要求の応答として前記集計サーバから前記特定のアプリケーションのアイコン情報を受信する第２の通信部と、
自己の携帯端末に前記特定のアプリケーションがインストールされていない場合、前記集計サーバから受信した前記特定のアプリケーションのアイコン情報を基に、前記特定のアプリケーションのアイコンを表示する第１の表示部と、を有する。
【００１３】
本発明の集計サーバは、
複数の携帯端末の各々にて利用されたアプリケーションのアイコン情報を記録する記憶部と、
前記複数の携帯端末の各々にて利用されたアプリケーションのうち特定のアプリケーションの識別情報を前記複数の携帯端末の各々に対して送信すると共に、前記複数の携帯端末の各々から前記特定のアプリケーションのアイコン情報の送信要求を受信した場合、前記記憶部に記録された前記特定のアプリケーションのアイコン情報を前記送信要求の送信元の携帯端末に対して送信する通信部と、を有する。
【００１４】
本発明の携帯端末は、
集計サーバから特定のアプリケーションの識別情報を受信すると共に、自己の携帯端末に前記特定のアプリケーションがインストールされていない場合、前記特定のアプリケーションのアイコン情報の送信要求を前記集計サーバに対して送信して、前記送信要求の応答として前記集計サーバから前記特定のアプリケーションのアイコン情報を受信する通信部と、
自己の携帯端末に前記特定のアプリケーションがインストールされていない場合、前記集計サーバから受信した前記特定のアプリケーションのアイコン情報を基に、前記特定のアプリケーションのアイコンを表示する第１の表示部と、を有する。
【００１５】
本発明の第１の表示方法は、
複数の携帯端末と、集計サーバと、を有してなる表示システムが行う表示方法であって、
前記集計サーバが、前記複数の携帯端末の各々にて利用されたアプリケーションのアイコン情報を記憶部に記録し、
前記集計サーバが、前記複数の携帯端末の各々にて利用されたアプリケーションのうち特定のアプリケーションの識別情報を前記複数の携帯端末の各々に対して送信し、
前記携帯端末が、自己の携帯端末に前記特定のアプリケーションがインストールされていない場合、前記特定のアプリケーションのアイコン情報の送信要求を前記集計サーバに対して送信し、
前記集計サーバが、前記携帯端末から前記送信要求を受信した場合、前記記憶部に記録された前記特定のアプリケーションのアイコン情報を前記送信要求の送信元の携帯端末に対して送信し、
前記携帯端末が、自己の携帯端末に前記特定のアプリケーションがインストールされていない場合、前記集計サーバから受信した前記特定のアプリケーションのアイコン情報を基に、前記特定のアプリケーションのアイコンを表示する。
【００１６】
本発明の第２の表示方法は、
集計サーバが行う表示方法であって、
複数の携帯端末の各々にて利用されたアプリケーションのアイコン情報を記憶部に記録し、
前記複数の携帯端末の各々にて利用されたアプリケーションのうち特定のアプリケーションの識別情報を前記複数の携帯端末の各々に対して送信し、
前記複数の携帯端末の各々から前記特定のアプリケーションのアイコン情報の送信要求を受信した場合、前記記憶部に記録された前記特定のアプリケーションのアイコン情報を前記送信要求の送信元の携帯端末に対して送信する。
【００１７】
本発明の第３の表示方法は、
携帯端末が行う表示方法であって、
集計サーバから特定のアプリケーションの識別情報を受信し、
自己の携帯端末に前記特定のアプリケーションがインストールされていない場合、前記特定のアプリケーションのアイコン情報の送信要求を前記集計サーバに対して送信し、
前記送信要求の応答として前記集計サーバから前記特定のアプリケーションのアイコン情報を受信し、
自己の携帯端末に前記特定のアプリケーションがインストールされていない場合、前記集計サーバから受信した前記特定のアプリケーションのアイコン情報を基に、前記特定のアプリケーションのアイコンを表示する。
【発明の効果】
【００１８】
本発明によれば、複数の携帯端末の各々は、自己の携帯端末にインストールされていないアプリが推奨された場合でも、そのアプリのアイコンを表示することができるという効果が得られる。
【図面の簡単な説明】
【００１９】
【図１】本発明の一実施形態の表示システムの全体構成の一例を示す図である。
【図２】図１に示した携帯端末の構成の一例を示すブロック図である。
【図３】図１に示した集計サーバの構成の一例を示すブロック図である。
【図４】図１に示した集計サーバが携帯端末にて収集されたデータを集計する場合の動作の一例を説明するフローチャートである。
【図５】図１に示した集計サーバが推奨アプリに関する情報を携帯端末に送信する場合の動作の一例を説明するフローチャートである。
【図６】図１に示した携帯端末が推奨アプリのアイコンを表示する場合の動作の一例を説明するフローチャートである。
【図７】図１に示した携帯端末が推奨アプリのアイコンを表示している画面の一例を説明する図である。
【図８】関連する携帯端末がアプリのインストールアイコンを表示している画面の一例を説明する図である。
【発明を実施するための形態】
【００２０】
以下に、本発明を実施するための形態について図面を参照して説明する。
（１）本実施形態の構成
最初に、本実施形態の構成について説明する。
（１−１）表示システムの構成
まず、本実施形態の表示システムの全体構成について説明する。
【００２１】
図１に示すように、本実施形態の表示システムは、ｎ（ｎは２以上の自然数）台の携帯端末１０−１〜１０−ｎ（以下、どの携帯端末であるかを特定しないときは「携帯端末１０」と称す）と、ｍ（ｍは２以上の自然数）台のアプリ登録サーバ２０−１〜２０−ｍ（以下、どのアプリ登録サーバであるかを特定しないときは「アプリ登録サーバ２０」と称す）と、集計サーバ３０と、を有しており、これらはネットワーク４０を介して互いに接続されている。
【００２２】
携帯端末１０−１〜１０−ｎは、アプリ登録サーバ２０−１〜２０−ｍからアプリをダウンロードしてそのアプリを利用する。なお、携帯端末１０−１〜１０−ｎは、不特定の利用者が使用するものとする。
【００２３】
集計サーバ３０は、携帯端末１０−１〜１０−ｎの各々にて利用されたアプリのうち特定のアプリを携帯端末１０−１〜１０−ｎに提示する。
【００２４】
なお、本明細書では、集計サーバ３０は、特定のアプリとして、携帯端末１０−１〜１０−ｎの各々にて利用されたアプリのデータを集計した集計結果に基づき決定した、携帯端末１０−１〜１０−ｎに利用を推奨する推奨アプリを提示するものとして説明する。
（１−２）携帯端末１０−１〜１０−ｎの構成
図２に示すように、携帯端末１０−１〜１０−ｎの各々は、記録媒体１１と、集計サーバ接続部１２と、データ収集部１３と、アイコン表示部１４と、バルーン表示部１５と、紹介サイトアクセス部１６と、アプリインストール部１７と、を有している。
【００２５】
なお、図２において、集計サーバ接続部１２は、本発明の通信部または第２の通信部に対応するものであり、アイコン表示部１４は、本発明の第１の表示部に対応するものであり、バルーン表示部１５は、本発明の第２の表示部に対応するものである。
【００２６】
また、図２において、利用者は、タッチパネルやキーボード等で実現される不図示の操作部を介して、携帯端末１０を操作するものとする。
【００２７】
記録媒体１１は、各種の情報やデータが記録される記憶部である。
【００２８】
データ収集部１３は、自己の携帯端末１０にて利用されたアプリのデータを収集し、記録媒体１１に記録する。
【００２９】
集計サーバ接続部１２は、ネットワーク４０を介して集計サーバ３０と接続し、集計サーバ３０と通信を行う。
【００３０】
例えば、集計サーバ接続部１２は、記録媒体１１に記録されたデータを集計サーバ３０に送信すると共に、集計サーバ３０から推奨アプリの識別情報を受信する。なお、推奨アプリの識別情報とは、推奨アプリを識別するアプリ名等の情報であって、後述するアイコン情報、料金情報、紹介サイトのアドレス等とは異なる。
【００３１】
また、集計サーバ接続部１２は、推奨アプリが自己の携帯端末１０にインストールされていない場合、推奨アプリのアイコン情報の送信要求を集計サーバ３０に送信し、その応答として集計サーバ３０から推奨アプリのアイコン情報、料金情報、紹介サイトのアドレス等を受信し、記録媒体１１に記録する。
【００３２】
アイコン表示部１４は、集計サーバ３０が提示した推奨アプリのアイコンを表示する。このとき、推奨アプリが自己の携帯端末１０にインストールされていない場合、アイコン表示部１４は、集計サーバ３０から受信した推奨アプリのアイコン情報を基に、推奨アプリのアイコンを表示する。
【００３３】
バルーン表示部１５は、アイコン表示部１４により自己の携帯端末１０にインストールされていない推奨アプリのアイコンが表示されている際に、集計サーバ３０から受信した推奨アプリの料金情報、紹介サイトのアドレス等をバルーン表示する。
【００３４】
紹介サイトアクセス部１６は、ネットワーク４０を介してアプリ登録サーバ２０−１〜２０−ｍと接続し、接続したアプリ登録サーバ２０が開設しているアプリの紹介サイトから、そのアプリをダウンロードする。
【００３５】
アプリインストール部１７は、紹介サイトアクセス部１６によりダウンロードされたアプリを記録媒体１１にインストールする。
（１−３）集計サーバ３０の構成
図３に示すように、集計サーバ３０は、記録媒体３１と、端末接続部３２と、アプリダウンロード部３３と、アプリインストール部３４と、データ削除部３５と、データ集計部３６と、を有している。
【００３６】
なお、図３において、端末接続部３２は、本発明の通信部または第１の通信部に対応するものである。
【００３７】
記録媒体３１は、各種の情報やデータが記録される記憶部である。
【００３８】
端末接続部３２は、ネットワーク４０を介して携帯端末１０−１〜１０−ｎと接続し、携帯端末１０−１〜１０−ｎの各々と通信を行う。
【００３９】
例えば、端末接続部３２は、携帯端末１０−１〜１０−ｎの各々にて利用されたアプリのデータを受信し、受信したデータの中に、集計サーバ３０にインストールされていないアプリがある場合、そのアプリをアプリダウンロード部３３に通知する。
【００４０】
アプリダウンロード部３３は、アプリ登録サーバ２０−１〜２０−ｍの中から、端末接続部３２から通知されたアプリが登録されているアプリ登録サーバ２０を検索する。
【００４１】
このとき、該当するアプリ登録サーバ２０が検索された場合は、アプリダウンロード部３３は、ネットワーク４０を介して該当するアプリ登録サーバ２０と接続し、接続したアプリ登録サーバ２０が開設しているアプリの紹介サイトから、そのアプリをダウンロードする。
【００４２】
アプリインストール部３４は、アプリダウンロード部３３によりダウンロードされたアプリを記録媒体３１のアプリインストールエリア３１Ｂにインストールする。
【００４３】
さらに、アプリインストール部３４は、インストールしたアプリから、そのアプリのアイコン情報を抽出し、そのアプリの料金情報、紹介サイトのアドレス等と共に、記録媒体３１のアプリ情報エリア３１Ｃに記録する。
【００４４】
一方、該当するアプリ登録サーバ２０が検索されなかった場合は、データ削除部３５は、携帯端末１０−１〜１０−ｎの各々から受信したアプリのデータの中から、アプリ登録サーバ２０が検索されなかったアプリ（集計サーバ３０にインストールされていないアプリ）のデータを削除し、残りのデータをデータ集計部３６に渡す。
【００４５】
データ集計部３６は、携帯端末１０−１〜１０−ｎの各々から受信したアプリのデータ（集計サーバ３０にインストールされていないアプリが削除されたデータ）を集計し、その集計結果を基に、携帯端末１０−１〜１０−ｎに推奨する推奨アプリを決定し、決定した推奨アプリの識別情報と集計データを記録媒体３１の集計データエリア３１Ａに記録する。データ集計部３６で決定された推奨アプリの識別情報は、端末接続部３２により携帯端末１０−１〜１０−ｎに送信される。
【００４６】
なお、本明細書では、携帯端末１０−１〜１０−ｎの各々が、自己の携帯端末１０にて利用されたアプリ毎に、そのアプリと同時に利用された他のアプリのデータを収集し、集計サーバ３０が、アプリ毎に、そのアプリと同時に利用された頻度の高い他のアプリを推奨アプリと決定するものとする。
【００４７】
しかし、本発明は、携帯端末１０にインストールされていないアプリのアイコンを表示するための発明であり、推奨アプリをどのように決定するかは本発明の本質的な部分ではなく、推奨アプリの決定方法はこれに限定されない。
（１−４）アプリ登録サーバ２０−１〜２０−ｍの構成
アプリ登録サーバ２０−１〜２０−ｍは、アプリを登録し、そのアプリをダウンロードすることが可能な紹介サイトを開設するサーバであれば、特に限定はない。
【００４８】
すなわち、アプリ登録サーバ２０−１〜２０−ｍは、本発明の本質的な部分ではなく、既存の技術を利用して実現できるため、アプリ登録サーバ２０−１〜２０−ｍの構成についての詳細な説明は省略する。
（２）本実施形態の動作
次に、本実施形態の動作について説明する。
（２−１）携帯端末１０−１〜１０−ｎのデータ収集動作
まず、携帯端末１０−１〜１０−ｎの各々が、アプリ毎に、そのアプリと同時に利用された他のアプリのデータを収集する場合の動作について説明する。
【００４９】
データ収集部１３は、自己の携帯端末１０にてアプリが起動または終了した場合、そのアプリのアプリ名と起動時間または終了時間を記録媒体１１に記録する。
【００５０】
そして、データ収集部１３は、記録媒体１１に記録された上記の情報に基づいて、自己の携帯端末１０にて利用されたアプリ毎に、そのアプリと同時に利用された他のアプリにポイントを加算し、加算したポイントのデータを収集する。
【００５１】
これにより、携帯端末１０−１〜１０−ｎの各々におけるデータの収集が終了する。
（２−２）集計サーバ３０のデータ集計動作
次に、集計サーバ３０が、携帯端末１０−１〜１０−ｎの各々にて収集されたデータを集計する場合の動作について説明する。
【００５２】
図４に示すように、まず、携帯端末１０−１〜１０−ｎの各々のサーバ接続部１２は、一定期間毎に、自己の携帯端末１０にて利用されたアプリ毎のポイントのデータを記録媒体１１から読み出し、読み出したデータを集計サーバ３０に送信する。このデータは、集計サーバ３０の端末接続部３２で受信される（ステップＡ１）。
【００５３】
端末接続部３２は、携帯端末１０−１〜１０−ｎからデータを受信すると、記録媒体３１のアプリインストールエリア３１Ｂを参照し、受信したデータの中に、集計サーバ３０にインストールされていないアプリがあるか否かを確認する（ステップＡ２）。
【００５４】
ステップＡ２において、集計サーバ３０にインストールされていないアプリがある場合、端末接続部３２は、そのアプリのアプリ名をアプリダウンロード部３３に通知する（ステップＡ３）。
【００５５】
次に、アプリダウンロード部３３は、ネットワーク４０上のアプリ登録サーバ２０−１〜２０−ｍの中から、端末接続部３２から通知されたアプリが登録されているアプリ登録サーバ２０を検索する（ステップＡ４）。
【００５６】
ステップＡ４において、該当するアプリ登録サーバ２０が検索された場合、アプリダウンロード部３３は、該当するアプリ登録サーバ２０の紹介サイトにアクセスし、有償／無償に関わらず、紹介サイトからアプリをダウンロードし（ステップＡ５）、アプリをダウンロードした旨をアプリインストール部３４に通知する。
【００５７】
次に、アプリインストール部３４は、アプリダウンロード部３３によりダウンロードされたアプリを記録媒体３１のアプリインストールエリア３１Ｂにインストールする。さらに、アプリインストール部３４は、インストールしたアプリからアイコン情報を抽出し、料金情報、紹介サイトのアドレス等と共に、記録媒体３１のアプリ情報エリア３１Ｃに記録する（ステップＡ６）。
【００５８】
一方、ステップＡ４において、該当するアプリ登録サーバ２０が検索されなかった場合は、アプリダウンロード部３３は、集計サーバ３０にインストールされていないアプリをデータ削除部３５に通知する。
【００５９】
次に、データ削除部３５は、ステップＡ１で受信したデータの中から、アプリダウンロード部３３から通知されたアプリのデータを削除する（ステップＡ７）。
【００６０】
端末接続部３２は、ステップＡ１で受信したデータに含まれる全てのアプリに対してステップＡ２〜Ａ７の処理が行われると、その旨をデータ集計部３６に通知する。
【００６１】
その後、データ集計部３６は、携帯端末１０−１〜１０−ｎの各々から受信したアプリ毎のポイントのデータ（集計サーバ３０にインストールされていないアプリが削除されたデータ）を集計する。そして、データ集計部３６は、アプリ毎に、そのアプリと同時に利用された他のアプリのうち集計ポイントが多い上位の所定数分（例えば、３個）のアプリを推奨アプリとして決定し、決定した推奨アプリの識別情報と集計データを記録媒体３１の集計データエリア３１Ａに記録する（ステップＡ８）。
【００６２】
これにより、携帯端末１０−１〜１０−ｎからのデータの集計が終了する。
（２−３）集計サーバ３０の推奨アプリに関する情報の送信動作
次に、集計サーバ３０が推奨アプリに関する情報を携帯端末１０−１〜１０−ｎの各々に送信する場合の動作について説明する。
【００６３】
図５に示すように、集計サーバ３０の端末接続部３１は、一定期間毎に、アプリ毎の推奨アプリの識別情報を記録媒体３１の集計データエリア３１Ａから読み出し、読み出した情報を携帯端末１０−１〜１０−ｎの各々に送信する。この情報は、携帯端末１０−１〜１０−ｎの各々の集計サーバ接続部１２で受信される（ステップＢ１）。
【００６４】
集計サーバ接続部１２は、集計サーバ３０から推奨アプリの識別情報を受信すると、受信した推奨アプリの識別情報を記録媒体１１に記録する。また、集計サーバ接続部１２は、記録媒体１１を参照し、推奨アプリの中に、自己の携帯端末１０にインストールされていないアプリがあるか否かを確認する（ステップＢ２）。
【００６５】
ステップＢ２において、自己の携帯端末１０にインストールされていない推奨アプリがある場合、集計サーバ接続部１２は、その推奨アプリのアプリ名を指定して、その推奨アプリのアイコン情報の送信要求を集計サーバ３０に送信する（ステップＢ３）。
【００６６】
集計サーバ３０の端末接続部３１は、携帯端末１０−１〜１０−ｎのいずれかから、推奨アプリのアイコン情報の送信要求が受信されると、その推奨アプリのアイコン情報、料金情報、紹介サイトのアドレス等を記録媒体３１のアプリ情報エリア３１Ｃから読み出し、送信要求の送信元の携帯端末１０に送信する。これらの情報は、送信元の携帯端末１０の集計サーバ接続部１２で受信される（ステップＢ４）。
【００６７】
集計サーバ接続部１２は、集計サーバ３０から推奨アプリのアイコン情報、料金情報、紹介サイトのアドレス等を受信すると、受信した情報を記録媒体１１に記録する（ステップＢ５）。
【００６８】
これにより、集計サーバ３０から携帯端末１０−１〜１０−ｎへの推奨アプリに関する情報の送信が終了する。
（２−４）携帯端末１０−１〜１０−ｎの推奨アプリのアイコン表示動作
次に、携帯端末１０−１〜１０−ｎの各々が推奨アプリのアイコンを表示する場合の動作について説明する。
【００６９】
図６に示すように、アイコン表示部１４は、自己の携帯端末１０にてアプリが起動されたことを確認すると（ステップＣ１）、そのアプリと同時に利用する推奨アプリの識別情報を記録媒体１１から読み出す。
【００７０】
次に、アイコン表示部１４は、記録媒体１１を参照し、自己の携帯端末１０に推奨アプリがインストールされているか否かを確認する（ステップＣ２）。
【００７１】
ステップＣ２において、自己の携帯端末１０に推奨アプリがインストールされていない場合、アイコン表示部１４は、集計サーバ３０から受信したアイコン情報を記録媒体１１から読み出し、読み出したアイコン情報を基に、アプリを選択する画面において、推奨アプリのアイコンを表示する（ステップＣ３）。
【００７２】
一方、ステップＣ２において、自己の携帯端末１０に推奨アプリがインストールされている場合、アイコン表示部１４は、アプリを選択する画面において、自己の携帯端末１０にインストールされている推奨アプリのアイコンを表示する（ステップＣ４）。
【００７３】
このとき、例えば、アイコン表示部１４は、図７に示すように、推奨アプリのアイコンに縁取り枠を付けて上部に表示することが考えられる。
【００７４】
ただし、図７の例は、推奨アプリのアイコンの表示方法の一例であり、これに限定されない。すなわち、推奨アプリのアイコンは、上述のように、縁取り枠を付けて上部に表示する以外にも、例えば、他のアイコンと異なる色で表示したり、点滅させて表示したりする等、他のアイコンと区別できる形態で表示すれば良い。
【００７５】
また、推奨アプリの中でも、インストールされているものと、インストールされていないものと、を区別できる形態で表示しても良い。両者を区別する表示方法としては、異なる色で表示する、そちらか一方を点滅させて表示する等が考えられる。
【００７６】
これにより、推奨アプリのアイコンの表示が終了する。
【００７７】
続いて、自己の携帯端末１０にインストールされていない推奨アプリのアイコンにカーソルが合わせられると、図７に示すように、バルーン表示部１５は、その推奨アプリの紹介サイトのアドレスや料金情報を記録媒体１１から読み出し、紹介サイトのアドレスをバルーンで表示すると共に、その推奨アプリが有償である場合は、その推奨アプリが有償である旨の情報と料金の情報をバルーンで表示する。
【００７８】
ただし、図７の例は、推奨アプリの紹介サイトのアドレスや料金情報等の表示方法の一例であり、これに限定されない。例えば、推奨アプリの紹介サイトのアドレスや料金情報等は、バルーン表示ではなく、別画面で表示しても良い。
【００７９】
また、自己の携帯端末１０にインストールされていない推奨アプリのアイコンがクリックされると、紹介サイトアクセス部１６は、その推奨アプリの紹介サイトにアクセスし、その紹介サイトから推奨アプリをダウンロードし、アプリインストール部１７は、その推奨アプリを記録媒体１１にインストールする。
【００８０】
上述したように本実施形態においては、集計サーバ３０は、携帯端末１０−１〜１０−ｎの各々にて利用されたアプリのアイコン情報を記録媒体３１に記録すると共に、携帯端末１０−１〜１０−ｎの各々にて利用されたアプリのうち特定のアプリ（例えば、携帯端末１０−１〜１０−ｎに利用を推奨する推奨アプリ）の識別情報を送信する。携帯端末１０−１〜１０−ｎの各々は、特定のアプリが自己の携帯端末１０にインストールされていない場合、特定のアプリのアイコン情報の送信要求を集計サーバ３０に対して送信して、その応答として集計サーバ３０から特定のアプリのアイコン情報を受信し、これを基に、特定のアプリのアイコンを表示する。
【００８１】
したがって、携帯端末１０−１〜１０−ｎの各々は、自己の携帯端末１０にインストールされていない特定のアプリが推奨された場合でも、その特定のアプリのアイコンを表示することができるという効果が得られる。
【００８２】
また、アプリのアイコンは、そのアプリの内容を視覚的に表現したものであることが多いため、携帯端末１０−１〜１０−ｎの各々の利用者は、集計サーバ３０から推奨されたアプリがどのようなアプリであるかを視覚的に想像することができるようになる。
【００８３】
以上、実施形態を参照して本発明を説明したが、本発明は上記実施形態に限定されものではない。本発明の構成や詳細には、本発明の範囲内で当業者が理解し得る様々な変更をすることができる。
【符号の説明】
【００８４】
１０−１〜１０−ｎ    携帯端末
１１    記録媒体
１２    集計サーバ接続部
１３    データ収集部
１４    アイコン表示部
１５    バルーン表示部
１６    紹介サイトアクセス部
１７    アプリインストール部
２０−１〜２０−ｍ    アプリ登録サーバ
３０    集計サーバ
３１    記録媒体
３２    通信部
３３    アプリダウンロード部
３４    アプリインストール部
３５    データ削除部
３６    データ集計部
４０    ネットワーク
【図１】
0005644622.tif 000002
【図２】
0005644622.tif 000003
【図３】
0005644622.tif 000004
【図４】
0005644622.tif 000005
【図５】
0005644622.tif 000006
【図６】
0005644622.tif 000007
【図７】
0005644622.tif 000008
【図８】
0005644622.tif 000009